【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
各々が少なくとも１つの発光ダイオード（ＬＥＤ）電球を有し、各々が個々の反対端の上面に構成された電気コネクタパッドをさらに有する、複数のプリント基板（ＰＣＢ）と、
第１のＰＣＢの一端を第２の前記ＰＣＢの端部に接続することにより、前記第１及び第２のＰＣＢが末端間を電気接続されるように接続する少なくとも１つの電気コネクタと、
を備え、前記電気コネクタが２部品表面実装構成を含むことにより、前記ＰＣＢが互いにゼロギャップで隣接するようになる、
ことを特徴とするＬＥＤ照明アセンブリであって、
前記電気コネクタが、
前記ＰＣＢの第１の端部の前記上面に前記ＰＣＢ上の前記コネクタパッドと電気接触する形で取り付けられたソケット部品と、
前記ＰＣＢの第２の反対側の端部の前記上面に前記ＰＣＢ上の前記コネクタパッドと電気接触する形で取り付けられたプラグ部品と、
をさらに備え、
前記ソケット部品が、内部に定められる内部受入れ溝を有する絶縁本体と、前記絶縁本体内に保持される少なくとも２つのＵ字形平面ストリップ電気接点とをさらに備え、前記電気接点が、前記ＰＣＢの前記第１の端部における対応する前記コネクタパッドの分離距離に対応する距離を空けられた、前記絶縁本体の底面に存在する第１の部分と、前記内部受入れ溝内へ延びる第２の部分とを有し、
前記プラグ部品が、前記電気接点が、前記ＰＣＢの前記第２の端部における対応する前記コネクタパッドの分離距離に対応する距離を空けられた、前記絶縁基部本体の底面に存在する第１の部分を有する少なくとも２つの平面ストリップ電気接点を含む絶縁基部本体を備え、
前記プラグ部品が、前記本体部材から前記ＰＣＢの前記第２の端部を越えて横方向へ延びる共通絶縁性プラグ部材をさらに備え、前記電気接点が、前記プラグ部材上へ少なくとも部分的に延びる第２の部分を有し、
前記プラグ部品と前記ソケット部品との嵌合接触において、前記プラグ部材が、隣接するＰＣＢの前記ソケット部品の前記受入れ溝内へ延びることにより、前記プラグ部材の前記平面ストリップ電気接点が前記ソケット部品の前記受入れ溝内の前記平面ストリップ電気接点に係合するようになる、
ことを特徴とする、前記ＬＥＤ照明アセンブリ。
【請求項２】
前記ソケット部品及び前記プラグ部品が、そのそれぞれの底面に構成された表面実装用ブラケットをさらに備える、
ことを特徴とする請求項１に記載のＬＥＤ照明アセンブリ。
【請求項３】
前記電気接点部分の前記第２の部分が、前記ソケット部品の前記受入れ溝内でばね付勢される、
ことを特徴とする請求項１に記載のＬＥＤ照明アセンブリ。
【請求項４】
前記電気接点の前記第１の部分が、前記絶縁本体内の開口部を通じて前記絶縁本体の前記底面へ延びる前記Ｕ字形接点の脚部により定められる、
ことを特徴とする請求項３に記載のＬＥＤ照明アセンブリ。
【請求項５】
前記プラグ部品内の前記電気接点が前記絶縁基部本体の側壁内の開口部を通じて延び、前記プラグ部材が前記側壁から延び、前記電気接点の前記第１の部分が前記絶縁基部本体の底面内の開口部から外へ現れる、
ことを特徴とする請求項１に記載のＬＥＤ照明アセンブリ。
【請求項６】
前記電気接点が、前記ソケット部品及び前記プラグ部品の絶縁本体内に型打ちされる、ことを特徴とする請求項１に記載のＬＥＤ照明アセンブリ。
【請求項７】
照明器具内に受け入れられるように構成された発光ダイオード（ＬＥＤ）照明管アセンブリであって、
その個々の反対側の長手方向端部に端部キャップコネクタを有する照明管と、
前記照明管内に末端間接続構成の形で接続された複数のプリント基板（ＰＣＢ）と、
を備え、個々の前記ＰＣＢが、少なくとも１つのＬＥＤ電球を有し、個々のＰＣＢが前記ＰＣＢの各反対端に構成された電気コネクタパッドをさらに有し、前記接続されたＰＣＢの前記反対端の前記電気コネクタパッドが、前記端部キャップコネクタと電気的に嵌合接触し、
第１のＰＣＢの一端を第２の隣接するＰＣＢの端部に、前記第１及び第２のＰＣＢが末端間接続構成の形で電気接続されるように接続する電気コネクタをさらに備え、該電気コネクタが２部品表面実装構成を含むことにより、前記ＰＣＢが互いにゼロギャップで隣接するようになる、
ことを特徴とするＬＥＤ照明管アセンブリであって、
前記ＰＣＢ間の前記電気コネクタが、
前記ＰＣＢの第１の端部の前記上面に前記ＰＣＢ上の前記コネクタパッドと電気接触する形で取り付けられたソケット部品と、
前記ＰＣＢの第２の反対側の端部の前記上面に前記ＰＣＢ上の前記コネクタパッドと電気接触する形で取り付けられたプラグ部品と、
をさらに備え、
前記ソケット部品が、内部に定められる内部受入れ溝を有する絶縁本体と、前記絶縁本体内に保持される少なくとも２つのＵ字形平面ストリップ電気接点とをさらに備え、前記電気接点が、前記ＰＣＢの前記第１の端部における対応する前記コネクタパッドの分離距離に対応する距離を空けられた、前記絶縁本体の底面に存在する第１の部分と、前記内部受入れ溝内へ延びる第２の部分とを有し、
前記プラグ部品が、前記電気接点が、前記ＰＣＢの前記第２の端部における対応する前記コネクタパッドの分離距離に対応する距離を空けられた、前記絶縁基部本体の底面に存在する第１の部分を有する少なくとも２つの平面ストリップ電気接点を含む絶縁基部本体を備え、
前記プラグ部品が、前記本体部材から前記ＰＣＢの前記第２の端部を越えて横方向へ延びる共通絶縁性プラグ部材をさらに備え、前記電気接点が、前記プラグ部材上へ少なくとも部分的に延びる第２の部分を有し、
前記プラグ部品と前記ソケット部品との嵌合接触において、前記プラグ部材が、隣接するＰＣＢの前記ソケット部品の前記受入れ溝内へ延びることにより、前記プラグ部材の前記平面ストリップ電気接点が前記ソケット部品の前記受入れ溝内の前記平面ストリップ電気接点に係合するようになる、
ことを特徴とする、前記ＬＥＤ照明管アセンブリ。
【請求項８】
前記アセンブリが蛍光灯器具内に受け入れられるように構成され、前記端部キャップコネクタが前記蛍光灯器具のレセプタクル内に受け入れられるように構成されたピン接点を備える、
ことを特徴とする請求項７に記載のＬＥＤ照明管アセンブリ。
【請求項９】
前記ＰＣＢが標準的な均一長を有し、これにより前記照明管内により多くの、又は少ない前記ＰＣＢを接続することにより、様々な長さ及び電力のアセンブリが構成されるようになる、
ことを特徴とする請求項７に記載のＬＥＤ照明管アセンブリ。
【請求項１０】
前記ソケット部品及び前記プラグ部品が、そのそれぞれの底面に構成された表面実装用ブラケットをさらに備える、
ことを特徴とする請求項７に記載のＬＥＤ照明管アセンブリ。
【請求項１１】
前記電気接点部分の前記第２の部分が、前記ソケット部品の前記受入れ溝内でばね付勢される、
ことを特徴とする請求項７に記載のＬＥＤ照明管アセンブリ。
【請求項１２】
前記電気接点の前記第１の部分が、前記絶縁本体内の開口部を通じて前記絶縁本体の前記底面へ延びる前記Ｕ字形接点の脚部により定められる、
ことを特徴とする請求項１１に記載のＬＥＤ照明管アセンブリ。
【請求項１３】
前記プラグ部品内の前記電気接点が前記絶縁基部本体の側壁内の開口部を通じて延び、前記プラグ部材が前記側壁から延び、前記電気接点の前記第１の部分が前記絶縁基部本体の底面内の開口部から外へ現れる、
ことを特徴とする請求項７に記載のＬＥＤ照明管アセンブリ。
【請求項１４】
前記電気接点が、前記ソケット部品及び前記プラグ部品の絶縁本体内に型打ちされる、ことを特徴とする請求項７に記載のＬＥＤ照明管トアセンブリ。
【請求項１５】
プリント基板（ＰＣＢ）の隣接する端部を照明管内で接続する電気コネクタであって、前記ＰＣＢが少なくとも１つの発光ダイオード（ＬＥＤ）バルブを有し、前記ＰＣＢが前記ＰＣＢの各端部の上面に複数の電気接点パッドをさらに有し、前記電気コネクタが、
前記ＰＣＢの第１の端部の前記上面に前記ＰＣＢ上の前記コネクタパッドと電気接触する形で取り付けられるように構成されたソケット部品と、
前記ＰＣＢの第２の反対側の端部の前記上面に前記ＰＣＢ上の前記コネクタパッドと電気接触する形で取り付けられるように構成されたプラグ部品とをさらに備え、
第１のＰＣＢの前記プラグ部品が第２のＰＣＢの前記ソケット部品内に係合して、前記第１及び第２のＰＣＢを隣接末端間接続構成の形で電気的に接続するようになる、
ことを特徴とするＰＣＢコネクタであって、
前記ソケット部品が、内部に定められる内部受入れ溝を有する絶縁本体と、前記絶縁本体内に保持される少なくとも２つのＵ字形平面ストリップ電気接点とをさらに備え、前記電気接点が、前記ＰＣＢの前記第１の端部における対応するコネクタパッドの分離距離に対応する距離を空けられた、前記絶縁本体の底面に存在する第１の部分と、前記内部受入れ溝内へ延びる第２の部分とを有し、
前記プラグ部品が、前記電気接点が、前記ＰＣＢの前記第２の端部における対応するコネクタパッドの分離距離に対応する距離を空けられた、前記絶縁基部本体の底面に存在する第１の部分を有する少なくとも２つの平面ストリップ電気接点を含む絶縁基部本体を備え、  前記プラグ部品が、前記本体部材から前記ＰＣＢの前記第２の端部を越えて横方向へ延びる共通絶縁性プラグ部材をさらに備え、前記電気接点が、前記プラグ部材上へ少なくとも部分的に延びる第２の部分を有し、
前記プラグ部品と前記ソケット部品との嵌合接触において、前記プラグ部材が、隣接するＰＣＢの前記ソケット部品の前記受入れ溝内へ延びることにより、前記プラグ部材の前記平面ストリップ電気接点が前記ソケット部品の前記受入れ溝内の前記平面ストリップ電気接点に係合するようになる、
ことを特徴とする、前記ＰＣＢコネクタ。
【請求項１６】
前記ソケット部品及び前記プラグ部品が、そのそれぞれの底面に構成された表面実装用ブラケットをさらに備える、
ことを特徴とする請求項１５に記載のＰＣＢコネクタ。
【請求項１７】
前記電気接点部分の前記第２の部分が、前記ソケット部品の前記受入れ溝内でばね付勢される、
ことを特徴とする請求項１６に記載のＰＣＢコネクタ。
【請求項１８】
前記電気接点の前記第１の部分が、前記絶縁本体内の開口部を通じて前記絶縁本体の前記底面へ延びる前記Ｕ字形接点の脚部により定められる、
ことを特徴とする請求項１７に記載のＰＣＢコネクタ。
【請求項１９】
前記プラグ部品内の前記電気接点が前記絶縁基部本体の側壁内の開口部を通じて延び、前記プラグ部材が前記側壁から延び、前記電気接点の前記第１の部分が前記絶縁基部本体の底面内の開口部から外へ現れる、
ことを特徴とする請求項１５に記載のＰＣＢコネクタ。
【請求項２０】
前記電気接点が、前記ソケット部品及び前記プラグ部品の絶縁本体内に型打ちされる、ことを特徴とする請求項１５に記載のＰＣＢコネクタ。